【手続補正書】
【提出日】平成15年12月10日(2003.12.10)
【手続補正１】
【補正対象書類名】明細書
【補正対象項目名】特許請求の範囲
【補正方法】変更
【補正の内容】
【特許請求の範囲】
【請求項１】
被記録媒体の種類を判別するための判別装置において、
前記被記録媒体の表面の繊維配向性を検出する第１の検出手段と、
前記被記録媒体の表面の光沢度を検出する第２の検出手段と、
前記第１，第２の検出手段によって検出された前記被記録媒体の表面の繊維配向性と光沢度に基づいて、前記被記録媒体の種類を判別する判別手段と、
を備えたことを特徴とする被記録媒体の種類の判別装置。
【請求項２】
前記第１，第２の検出手段は、前記被記録媒体の表面から反射された反射光から、前記被記録媒体の表面の繊維配向性と光沢度を光学的に検出することを特徴とする請求項１に記載の被記録媒体の種類の判別装置。
【請求項３】
前記第１の検出手段は、前記被記録媒体の表面からの反射角が同一かつ反射方向が異なる複数の反射光を受光するための複数の第１の受光素子を備え、該複数の第１の受光素子の受光量の差から前記被記録媒体の表面の繊維配向性を検出し、
前記第２の検出手段は、前記被記録媒体の表面からの正反射光を受光するための第２の受光素子を備え、該第２の受光素子の受光量から前記被記録媒体の表面の光沢度を検出する
ことを特徴とする請求項２に記載の被記録媒体の種類の判別装置。
【請求項４】
前記第１の検出手段は、前記第１の受光素子を３つ以上備えることを特徴とする請求項３に記載の被記録媒体の種類の判別装置。
【請求項５】
前記第１の検出手段は、前記複数の第１の受光素子が受光する反射光を生じさせるために、前記被記録媒体の法線上から該被記録媒体の表面に光を照射する第１の光源を備え、
前記第２の検出手段は、前記第２の受光素子が受光する反射光を生じさせるために、前記被記録媒体の表面に光を照射する第２の光源を備えた
ことを特徴とする請求項３または４に記載の被記録媒体の種類の判別装置。
【請求項６】
前記複数の第１の受光素子は、前記被記録媒体の表面からの反射角が同一の複数の反射光を全方位において均等に受光することを特徴とする請求項３から５のいずれかに記載の被記録媒体の種類の判別装置。
【請求項７】
前記複数の第１の受光素子は、前記被記録媒体の表面からの反射角が同一の複数の反射光を全方位の半分の方位において受光することを特徴とする請求項３から５のいずれかに記載の被記録媒体の種類の判別装置。
【請求項８】
前記複数の第１の受光素子は、前記被記録媒体の表面の法線に対する角度が４５度以上かつ９０度未満の反射光を受光することを特徴とする請求項３から７のいずれかに記載の被記録媒体の種類の判別装置。
【請求項９】
種類の判別対象の被記録媒体が位置する所定の検出作業位置に、前記被記録媒体よりも吸光度の高い表面をもつ基材を備え、
前記第１，第２の検出手段は、前記検出作業位置に前記被記録媒体がないときは、前記基材の表面の繊維配向性と光沢度を検出することを特徴とする請求項１から８のいずれかに記載の被記録媒体の種類の判別装置。
【請求項１０】
前記基材の表面は、吸光度が１以上であることを特徴とする請求項９に記載の被記録媒体の種類の判別装置。
【請求項１１】
前記判別手段は、前記第１，第２の検出手段によって検出された前記被記録媒体の表面の繊維配向性と光沢度に基づいて、少なくとも普通紙、コート紙、光沢紙、ＯＨＰシートの１つを前記被記録媒体の種類として判別する
ことを特徴とする請求項１から１０のいずれかに記載の被記録媒体の種類の判別装置。
【請求項１２】
設定された被記録媒体の種類に応じて、前記被記録媒体に記録を行う記録装置において、
請求項１から１１のいずれかに記載の被記録媒体の種類の判別装置を備え、
前記判別装置によって判別された前記被記録媒体の種類と、前記設定された被記録媒体の種類とを比較し、それらの種類が一致しないときに記録動作を禁止する手段を備えた
ことを特徴とする記録装置。
【請求項１３】
被記録媒体の種類に応じた記録モードによって、前記被記録媒体に記録を行う記録装置において、
請求項１から１１のいずれかに記載の被記録媒体の種類の判別装置を備え、
前記判別装置によって判別された前記被記録媒体の種類に応じた記録モードを設定する手段を備えた
ことを特徴とする記録装置。
【請求項１４】
前記被記録媒体と相対移動可能な記録ヘッドを用いて、前記被記録媒体に記録を行うことを特徴とする請求項１２または１３に記載の記録装置。
【請求項１５】
被記録媒体の種類を判別するための判別装置において、
前記被記録媒体の表面から反射された拡散反射光強度を複数の受光素子を用いて検出し、前記複数の受光素子それぞれが検出する拡散反射光強度から得られるパラメータを算出する算出手段と、
前記被記録媒体の表面の光沢度を検出する検出手段と、
前記算出手段によって算出されたパラメータと、前記検出手段によって検出された光沢度に基づいて、前記被記録媒体の種類を判別する判別手段と、
を備えたことを特徴とする判別装置。
【請求項１６】
前記パラメータは、前記複数の受光素子それぞれが検出する拡散反射光強度のバラツキであることを特徴とする請求項１５に記載の判別装置。
【請求項１７】
被記録媒体の種類を判別するための判別方法において、
前記被記録媒体の表面の繊維配向性を検出する第１の検出工程と、
前記被記録媒体の表面の光沢度を検出する第２の検出工程と、
前記第１，第２の検出工程において検出した前記被記録媒体の表面の繊維配向性と光沢度に基づいて、前記被記録媒体の種類を判別する判別工程と、
を有することを特徴とする被記録媒体の種類の判別方法。
【請求項１８】
前記第１，第２の検出工程では、前記被記録媒体の表面から反射された反射光から、前記被記録媒体の表面の繊維配向性と光沢度を光学的に検出することを特徴とする請求項１７に記載の被記録媒体の種類の判別方法。
【請求項１９】
前記第１の検出工程は、前記被記録媒体の表面から反射角が同一かつ反射方向が異なる複数の反射光を受光し、前記複数の反射光それぞれの受光量の差に基づいて前記被記録媒体の表面の繊維配向性を検出し、
前記第２の検出工程は、前記被記録媒体の表面からの正反射光の受光量に基づいて前記被記録媒体の表面の光沢度を検出する
ことを特徴とする請求項１８に記載の被記録媒体の種類の判別方法。
【手続補正２】
【補正対象書類名】明細書
【補正対象項目名】００２１
【補正方法】変更
【補正の内容】
【００２１】
本発明の被記録媒体の種類の判別方法は、 被記録媒体の種類を判別するための判別方法において、前記被記録媒体の表面の繊維配向性を検出する第１の検出工程と、前記被記録媒体の表面の光沢度を検出する第２の検出工程と、前記第１，第２の検出工程において検出した前記被記録媒体の表面の繊維配向性と光沢度に基づいて、前記被記録媒体の種類を判別する判別工程と、を有することを特徴とする。
また、本発明の判別装置は、被記録媒体の種類を判別するための判別装置において、前記被記録媒体の表面から反射された拡散反射光強度を複数の受光素子を用いて検出し、前記複数の受光素子それぞれが検出する拡散反射光強度から得られるパラメータを算出する算出手段と、前記被記録媒体の表面の光沢度を検出する検出手段と、前記算出手段によって算出されたパラメータと、前記検出手段によって検出された光沢度に基づいて、前記被記録媒体の種類を判別する判別手段と、を備えたことを特徴とする。